(57)【要約】【課題】  型締め時にスライド中子が傾くことを防止し、製品形状が悪くなることを防止するダイカスト金型及びダイカスト法の提供。【解決手段】ダイカスト金型１は、固定型１０と、可動型２０と、可動型２０の移動方向とは異なる方向へスライド自在なスライド中子３０とを備える。スライド中子３０は、可動型２０にセットした際に可動型２０と当接する中子当接面３１Ａを有し、中子当接面３１Ａにおける可動型２０とは当接しない部分には凹部Ｇが形成されている。【選択図】図２
2007111713.tif 000002
【特許請求の範囲】
【請求項１】
固定型と、可動型と、該可動型の移動方向とは異なる方向へスライド自在であり、該固定型及び該可動型と共にキャビティを画成するスライド中子とを有し、該スライド中子は、該可動型にセットされた際に該可動型と当接する中子当接面を有するダイカスト金型において、該中子当接面の該可動型とは当接しない部分に凹部を形成したことを特徴とするダイカスト金型。
【請求項２】
請求項１のダイカスト金型を用いてダイカストを行うことを特徴とするダイカスト法。
【発明の詳細な説明】
【技術分野】
【０００１】
本発明は、ダイカスト金型及びダイカスト法に関し、特に、可動型の移動方向とは異なる方向にスライド自在なスライド中子を備えるダイカスト金型及び当該ダイカスト金型を用いてダイカストを行うダイカスト法に関する。
【背景技術】
【０００２】
図３又は図４に示されるように、従来のダイカスト金型１０１は、固定型１１０と可動型１２０とスライド中子１３０とを備える。固定型１１０は固定ホルダー１１１及び固定ダイス１１２からなる。可動型１２０は可動ホルダー１２１及び可動ダイス１２２からなり、矢印ａ←→ａ’で示される移動方向へ移動可能である。スライド中子１３０は、中子ホルダー１３１及び中子ダイス１３２からなり、可動型１２０とともに矢印ａ←→ａ’で示される方向へ一体に移動可能である。また、スライド中子１３０は、可動型１２０の移動方向に対して略垂直の方向である矢印ｂ←→ｂ’で示される方向へスライド自在である。ダイカストを行う際には、可動型１２０及びスライド中子１３０がａ’→ａで示される方向であって固定型１１０に接近する方向へ移動されてゆき、図４に示されるように、型締めがなされる。このようなダイカスト金型に関する一般的技術水準を示す先行技術文献としては、例えば、特開２００４−２６８０６３号公報が挙げられる。
【０００３】
【特許文献１】特開２００４−２６８０６３号公報（図４、図５）
【発明の開示】
【発明が解決しようとする課題】
【０００４】
しかし、従来のダイカスト金型１０１では、スライド中子１３０を可動型１２０にセットした際に可動ダイス１２２に当接する部分を有する中子ホルダー１３１の中子当接面１３１Ａが、型締めされる際に固定ダイス１１２に接触する。中子当接面１３１Ａが固定ダイス１１２に接触すると、スライド中子１３０が図４におけるａ→ａ’で示される方向に傾いてしまい、当該ダイカスト金型１０１を用いたダイカスト法によりダイカストされる製品形状が悪くなるという問題が生じていた。
【０００５】
そこで、本発明は、型締め時にスライド中子が傾くことを防止し、製品形状が悪くなることを防止するダイカスト金型及び当該ダイカスト金型を用いて行うダイカスト法を提供することを目的とする。
【課題を解決するための手段】
【０００６】
上記目的を達成するために、本発明は、固定型と、可動型と、該可動型の移動方向とは異なる方向へスライド自在であり、該固定型及び該可動型と共にキャビティを画成するスライド中子とを有し、該スライド中子は、該可動型にセットされた際に該可動型と当接する中子当接面を有するダイカスト金型において、該中子当接面の該可動型とは当接しない部分に凹部を形成したダイカスト金型を提供している。
【０００７】
また、本発明は、請求項１のダイカスト金型を用いてダイカストを行うダイカスト法を提供している。
【発明の効果】
【０００８】
本発明の請求項１記載のダイカスト金型によれば、中子当接面に凹部を形成しているので、型締め時にスライド中子の中子当接面が固定型と接触することにより、スライド中子が傾くことが防止される。
【０００９】
本発明の請求項２記載のダイカスト法によれば、スライド中子が傾いた状態でダイカストすることがなく、製品形状を安定させることができる。
【発明を実施するための最良の形態】
【００１０】
本発明の実施の形態によるダイカスト金型及びダイカスト法について図１及び図２に基づき説明する。ダイカスト金型１は、固定型１０と可動型２０とスライド中子３０とを備える。固定型１０は固定ホルダー１１及び固定ダイス１２からなる。可動型２０は可動ホルダー２１及び可動ダイス２２からなり、矢印Ａ←→Ａ’で示される可動型２０の移動方向へ一体に移動可能である。なお、図１では、固定型１０を図１の上方に図示し、可動型２０及びスライド中子３０を下方に図示しているが、これは説明の便宜のためであり、実際にダイカスト金型１の固定型１０が可動型２０及びスライド中子３０の鉛直上方に位置しているということではない。
【００１１】
スライド中子３０は、中子ホルダー３１及び中子ダイス３２からなり、図１のように可動型２０にセットされた状態で、矢印矢印Ａ←→Ａ’で示される可動型２０の移動方向へ可動型２０と一体に移動可能である。また、スライド中子３０は、可動型２０の移動方向とは略垂直の方向、即ち、図１の矢印Ｂ←→Ｂ’で示される方向へスライド自在である。また、図１の左方向には、固定ダイス１２、可動ダイス２２、及び中子ダイス３２によって図示せぬキャビティが画成されており、図示せぬキャビティが画成されている図１の左方向が、ダイカスト金型１の内方に相当する。従って、図１の右方向が、ダイカスト金型１の外方に相当する。
【００１２】
図１及び図２に示すように、中子ホルダー３１は、中子当接面３１Ａを有する。中子当接面３１Ａは、スライド中子３０のスライド方向に対して略垂直の方向に延びる面であり、スライド中子３０が可動型２０にセットされた際に可動ダイス２２と当接する。中子当接面３１Ａの可動ダイス２２には当接しない部分には凹部Ｇが形成されている。凹部Ｇは、型締めの際に中子当接面３１Ａが固定ダイス１２に接触してスライド中子が傾くことを防止するものであり、凹部Ｇの深さは０．２〜０．３ｍｍとするのが好ましい。
【００１３】
中子当接面３１Ａには中子ダイス３２が突設されており、スライド中子３０が可動型２０にセットされた際には、この中子ダイス３２の半分は可動ダイス２２に形成された図示せぬ溝に収容される。固定ダイス１２側にも図示せぬ溝が形成されており、図１において中子ダイス３２として現されている部分であって、可動ダイス２２の溝には収容されていない部分は型締めを行った際には固定ダイス１２側の溝に収容される。
【００１４】
本実施の形態によるダイカスト法では、スライド中子３０を可動型２０にセットした後に、可動型２０を固定型１０に対して移動させて型締めを行う。次に、図示せぬダイカストマシンにより図示せぬキャビティへアルミニウム合金等の溶湯を充填する。そして溶湯が凝固したら、型開きを行い、ダイカスト品を取り出す。
【００１５】
本発明のダイカスト金型及び該ダイカスト法は上述した実施の形態に限定されず、特許請求の範囲で記載した範囲で種々の変形や改良が可能である。例えば、本実施の形態では、スライド中子３０は、中子ホルダー１３１と中子ダイス１３２とにより構成したが一体であってもよい。同様に、固定ホルダー１１と固定ダイス１２、可動ホルダー２１と可動ダイス２２は一体であってもよい。
【産業上の利用可能性】
【００１６】
本発明のダイカスト金型及びダイカスト法は、スライド中子を用いてダイカスト品をダイカストするダイカスト法の分野において極めて有用である。
【図面の簡単な説明】
【００１７】
【図１】本実施の形態によるダイカスト金型の要部断面図。
【図２】本実施の形態によるスライド中子の要部斜視図。
【図３】従来のダイカスト金型を示す要部断面図。
【図４】従来のダイカスト金型を示す要部断面図。
【符号の説明】
【００１８】
１      ダイカスト金型
１０    固定型
１１    固定ホルダー
１２    固定ダイス
２０    可動型
２１    可動ホルダー
２２    可動ダイス
３０    スライド中子
３１    中子ホルダー
３１Ａ  中子当接面
３２    中子ダイス
Ｇ      凹部
【図１】
2007111713.tif 000003
【図２】
2007111713.tif 000004
【図３】
2007111713.tif 000005
【図４】
2007111713.tif 000006